(57)【要約】【課題】全体が水に十分に濡れていないときでも、比較的短時間でボリュウムのあるきめ細やかな泡を比較的短時間で生じさせることができる石鹸を提供する。【解決手段】石鹸１は、固形石鹸であり、身体、頭皮、または髪等を洗浄する用途に用いられるものであり、水を溜めることが可能に構成される窪み部３を備え、好ましくは、窪み部３内に凸部４と凹部５とを備えて段差を有し、好ましくは、ベントナイトおよびコカミドプロピルベタインを含有するものとする。【選択図】図２
2019104784.tif 000002
【特許請求の範囲】
【請求項１】
水を溜めることが可能に構成される窪み部を備える石鹸。
【請求項２】
前記窪み部内に凸部と凹部とを備えて段差を有する、請求項１に記載の石鹸。
【請求項３】
ベントナイトおよびコカミドプロピルベタインを含有する、請求項１または請求項２に記載の石鹸。
【発明の詳細な説明】
【技術分野】
【０００１】
本発明は、石鹸の技術に関する。
【背景技術】
【０００２】
従来、石鹸に関する技術は種々知られている（特許文献１参照）。
石鹸は、固形石鹸であり、身体、頭皮、または髪等を洗浄する用途に用いられる。石鹸は水に溶け、当該溶けた石鹸（石鹸が含む界面活性剤）が空気と接触することによって泡が生じる。石鹸の泡は、汚れを浮かせて汚れを取り除く効果を有する。石鹸の泡は、洗浄力の目安となり、泡立ちの一番良い状態が洗浄力の強い状態となる。また、石鹸の泡は、身体（肌）や髪等を洗浄するときに、クッション材となって摩擦によるダメージから身体等を保護し、さらに、石鹸の泡があることで使用者に心地よく感じさせる。
【先行技術文献】
【特許文献】
【０００３】
【特許文献１】特開２０１６−１１３４８９号公報
【発明の概要】
【発明が解決しようとする課題】
【０００４】
石鹸では、表面を十分に濡らしてから手や泡立てネット等を使用して、石鹸を溶かしながら泡立てる。
もっとも、石鹸全体が水に十分に濡れていないとき、泡立ちが悪く、身体の洗浄（例えば、洗顔）に必要なほど十分に泡立つまで時間がかかる場合がある。また、石鹸全体が水に十分に濡れていないとき、泡のきめ細かさがなく使用感が悪い場合がある。
【０００５】
本発明は以上の如き状況に鑑みてなされたものであり、全体が水に十分に濡れていないときでも、比較的短時間でボリュウムのあるきめ細やかな泡を比較的短時間で生じさせることができる石鹸を提供することを課題とする。
【課題を解決するための手段】
【０００６】
本発明の解決しようとする課題は以上の如くであり、次にこの課題を解決するための手段を説明する。
【０００７】
即ち、請求項１においては、水を溜めることが可能に構成される窪み部を備えるものである。
【０００８】
請求項２においては、窪み部内に凸部と凹部とを備え、段差を有するものである。
【０００９】
請求項３においては、ベントナイトおよびコカミドプロピルベタインを含有するものである。
【発明の効果】
【００１０】
本発明の効果として、以下に示すような効果を奏する。
即ち、本発明によれば、石鹸全体が水に十分に濡れていないときでも、比較的短時間でボリュウムのあるきめ細やかな泡を比較的短時間で生じさせることができる。
【図面の簡単な説明】
【００１１】
【図１】本発明の実施形態に係る石鹸を示す斜視図。
【図２】同じく石鹸を示す斜視図。
【図３】同じく石鹸を示す正面図。
【図４】同じく石鹸を示す背面図。
【図５】同じく石鹸を示す中央横断面図。
【図６】同じく石鹸を示す斜視図。
【図７】同じく石鹸を示す中央横断面図。
【図８】同じく石鹸を示す斜視図。
【図９】同じく石鹸を示す正面図。
【図１０】同じく石鹸を示す背面図。
【図１１】同じく石鹸を示す平面図。
【図１２】同じく石鹸を示す底面図。
【図１３】同じく石鹸を示す左側面図。
【図１４】同じく石鹸を示す右側面図。
【図１５】同じく石鹸を示す中央縦断面図。
【図１６】同じく石鹸を示す中央横断面図。
【図１７】同じく石鹸を示す背面図。
【図１８】同じく石鹸を示す背面図。
【図１９】同じく石鹸を示す中央横断面図。
【図２０】同じく石鹸を示す背面図。
【図２１】同じく石鹸を示す中央横断面図。
【図２２】同じく石鹸を示す背面図。
【図２３】同じく石鹸を示す中央横断面図。
【図２４】同じく石鹸を示す背面図。
【図２５】同じく石鹸を示す背面図。
【図２６】同じく石鹸を示す背面図。
【図２７】同じく石鹸を示す背面図。
【図２８】同じく石鹸を示す背面図。
【図２９】同じく石鹸を示す背面図。
【図３０】同じく石鹸を示す背面図。
【図３１】同じく石鹸を示す平面図。
【発明を実施するための形態】
【００１２】
次に、図１から図５に記載の石鹸１について説明する。
なお、以下において図で示される石鹸１の方向は石鹸１を使用するときの方向を規定するものではない。
【００１３】
図１から図５に示すように、石鹸１は、固形石鹸であり、身体、頭皮、または髪等を洗浄する用途に用いられる。石鹸１は水に溶け、当該溶けた石鹸１（石鹸１が含む界面活性剤）が空気と接触することによって泡が発生する。石鹸１は、本体部２と、窪み部３と、を備える。
【００１４】
本体部２は、正面視または背面視で略卵状に形成される。
【００１５】
窪み部３は、水を溜めることが可能に構成される。窪み部３は、本体部２に形成される窪みであり、本体の背面略中央に配置される。窪み部３は、背面視で略卵状に形成される。窪み部３は、全体的に角部を有さず、湾曲するように構成される。
【００１６】
このように構成される石鹸１では、石鹸１の背面側（窪み部３が配置される側）を上方に向けた状態で窪み部３内に水を溜め、指を石鹸１（窪み部３）に擦り合わせるようにして当該窪み部３内の水で石鹸１を溶かし、石鹸１を泡立てる。
【００１７】
以上のように、窪み部３を備える石鹸１では、窪み部３内に泡立てに必要な水を溜めた状態で泡立てを行うことができることから、石鹸１全体が水に十分に濡れていないときでも、比較的短時間でボリュウムのあるきめ細やかな泡を比較的短時間で生じさせることができる。
また、石鹸１では、石鹸１を溶かす水の温度が低温のときであっても、比較的短時間でボリュウムのあるきめ細やかな泡を比較的短時間で生じさせることができる。
さらに、石鹸１では、窪み部３内に水を溜めた状態で比較的短時間で泡立てできることから、例えば、全体を濡らしながら泡立てることを要さず、また、泡立てた泡が窪み部３から流れ落ちることを抑制することができ、使用量のロスを低減させることができる。
【００１８】
石鹸１全体が水に十分に濡れていないときでも比較的短時間でボリュウムのあるきめ細やかな泡を比較的短時間で生じさせるにあたって、窪み部３の面積は、石鹸１全体の面積の２０％以上７０％以下であることが好ましく、また、石鹸１全体の面積の４０％以上５０％以下であることがさらに好ましい。
また、石鹸１全体が水に十分に濡れていないときでも比較的短時間でボリュウムのあるきめ細やかな泡を比較的短時間で生じさせるにあたって、窪み部３の体積は、石鹸１全体の体積の５％以上３０％以下であることが好ましく、また、石鹸１全体の体積の１０％以上２０％以下であることがさらに好ましい。
また、石鹸１全体が水に十分に濡れていないときでも比較的短時間でボリュウムのあるきめ細やかな泡を比較的短時間で生じさせるにあたって、石鹸１がベントナイトおよびコカミドプロピルベタインを含有することが好ましい。
【００１９】
また、図６または図７に示すように、石鹸１（本体部２）は、図１から図５に記載のものに比べて肉厚状に構成することもできる。
【００２０】
次に、図８から図１６に記載の石鹸１について説明する。
【００２１】
図８から図１６に示すように、石鹸１は、窪み部３内に、複数個の凸部４と、複数個の凹部５と、を備える。
窪み部３内に、複数個（三個）の凸部４と、複数個（三個）の凹部５とが連続して窪み部３内に配置される。凸部４は、凹部５から背面方向に突出するように構成される。凸部４の高さは、本体部２と窪み部３との境界部分よりも低く構成される。凸部４が背面視で湾曲する山形状に形成されて凸部４と凹部５とで背面視略渦巻状に構成され、窪み部３内に複数個の段差（凹凸部分）を有する。
【００２２】
なお、凸部４または凹部５の個数および形状は、このような構成に限定されるものではない。例えば、凸部４は、山形状に構成することに代えて条状または点状に構成することもできる。
また例えば、凸部４が一個の渦巻状の条状に構成して窪み部３内に配置して、窪み部３内の凸部４が配置されない部分を凹部５で構成することもできる。
また、図１７に示すように、凸部４と凹部５とでハニカム状に構成することもできる。このとき、凹部５は、深さの異なる複数種類のもので構成することもできる。
また、図１８または図１９に示すように、凸部４と凹部５とで格子状に構成することもできる。
また、図２０または図２１に示すように、凸部４を略円錐状に構成して窪み部３内に複数個配置し、窪み部３内の凸部４が配置されない部分を凹部５で構成することもできる。
また、図２２または図２３に示すように、凸部４を略半球状に構成して窪み部３内に複数個配置し、窪み部３内の凸部４が配置されない部分を凹部５で構成することもできる。
また、図２４に示すように、凸部４を二個の条状を交差させるようにして十字状に構成して、窪み部３内の凸部４が配置されない部分を凹部５で構成することもできる。
また、図２５に示すように、凸部４を四個の条状を交差させるようにして構成して、窪み部３内の凸部４が配置されない部分を凹部５で構成することもできる。
また、図２６に示すように、凸部４を花びら状に構成して窪み部３内に複数個放射状に配置し、窪み部３内の凸部４が配置されない部分を凹部５で構成することもできる。
また、図２７に示すように、凸部４を円状に構成して窪み部３内に複数個配置し、窪み部３内の凸部４が配置されない部分を凹部５で構成することもできる。
また、図２８に示すように、凸部４を円弧状に構成して窪み部３内に複数個配置し、窪み部３内の凸部４が配置されない部分を凹部５で構成することもできる。
【００２３】
図２９または図３０に示すように、窪み部３が背面全体（背面視で本体部２と窪み部３との境界部分が見えない程度）に配置されて、本体部２の面積に対する窪み部３の面積を大きく構成することもできる。
また図３１に示すように、窪み部３の外側の縁部を湾曲させて構成することもできる。
【符号の説明】
【００２４】
１    石鹸
２    本体部
３    窪み部
４    凸部
５    凹部
【図１】
2019104784.tif 000003
【図２】
2019104784.tif 000004
【図３】
2019104784.tif 000005
【図４】
2019104784.tif 000006
【図５】
2019104784.tif 000007
【図６】
2019104784.tif 000008
【図７】
2019104784.tif 000009
【図８】
2019104784.tif 000010
【図９】
2019104784.tif 000011
【図１０】
2019104784.tif 000012
【図１１】
2019104784.tif 000013
【図１２】
2019104784.tif 000014
【図１３】
2019104784.tif 000015
【図１４】
2019104784.tif 000016
【図１５】
2019104784.tif 000017
【図１６】
2019104784.tif 000018
【図１７】
2019104784.tif 000019
【図１８】
2019104784.tif 000020
【図１９】
2019104784.tif 000021
【図２０】
2019104784.tif 000022
【図２１】
2019104784.tif 000023
【図２２】
2019104784.tif 000024
【図２３】
2019104784.tif 000025
【図２４】
2019104784.tif 000026
【図２５】
2019104784.tif 000027
【図２６】
2019104784.tif 000028
【図２７】
2019104784.tif 000029
【図２８】
2019104784.tif 000030
【図２９】
2019104784.tif 000031
【図３０】
2019104784.tif 000032
【図３１】
2019104784.tif 000033